(57)【要約】【課題】屋内空間と半屋外空間との一体感を得ることのできる住宅構造を提供する。【解決手段】住宅（１）において、屋内空間（３）における床部（３１）は、仕切り面（５）を越えて、隣接する半屋外空間（６）に向かって段差なく延びることで、半屋外空間（６）の床部（６１）を形成し、屋内空間（３）における天井部（３２）は、仕切り面（５）を越えて、半屋外空間（６）に向かって段差なく延びることで、半屋外空間（６）の天井部（６２）を形成する。さらに、屋内空間（３）における少なくとも一方の壁部（３３）は、仕切り面（５）を越えて、半屋外空間（６）に向かって段差なく延びることで、半屋外空間（６）の壁部（６３）を形成する。【選択図】図１
2014190031.tif 000002
【特許請求の範囲】
【請求項１】
仕切り面を介して屋内空間と半屋外空間とが隣接して設けられる住宅の構造であって、
前記屋内空間は、床部、天井部、および、対向する１対の壁部によって囲まれており、
前記屋内空間における前記床部は、前記仕切り面を越えて、前記半屋外空間に向かって段差なく延びることで、前記半屋外空間の床部を形成し、
前記屋内空間における前記天井部は、前記仕切り面を越えて、前記半屋外空間に向かって段差なく延びることで、前記半屋外空間の天井部を形成し、
前記屋内空間における前記１対の壁部のうちの少なくとも一方は、前記仕切り面を越えて、前記半屋外空間に向かって段差なく延びることで、前記半屋外空間の壁部を形成する、住宅構造。
【請求項２】
前記仕切り面は、透光面により形成される、請求項１に記載の住宅構造。
【請求項３】
前記住宅は、勾配屋根を有し、
前記屋内空間および前記半屋外空間の天井部は、前記勾配屋根の勾配に沿って形成される、請求項１または２に記載の住宅構造。
【請求項４】
略面一形状である前記屋内空間の前記壁部および前記半屋外空間の前記壁部それぞれに沿って、その一端が前記仕切り面と当接するように配置される、略同一高さの突出部材をさらに備える、請求項１〜３のいずれかに記載の住宅構造。
【発明の詳細な説明】
【技術分野】
【０００１】
本発明は、半屋外空間を備えた住宅の構造に関する。
【背景技術】
【０００２】
居室空間の屋外側に、開口部を介して半屋外空間が設けられた住宅が存在する。特開２０１２−１８９１号公報（特許文献１）、特開２０１２−１８９２号公報（特許文献２）および特開２０１２−２５１４２３号公報（特許文献３）では、このような住宅において、開口部近傍空間の床面と半屋外空間の床面とを略同じ高さレベルに揃えることや、開口部近傍空間の天井面と半屋外空間の軒裏面とを略同じ高さレベルに揃えることが開示されている。また、居室空間と半屋外空間との境界部分に位置する開口部を大開口とし、半屋外空間の屋根部を十分に張出すようにすることで、居室空間内での心地良さを高めることが開示されている。
【先行技術文献】
【特許文献】
【０００３】
【特許文献１】特開２０１２−１８９１号公報
【特許文献２】特開２０１２−１８９２号公報
【特許文献３】特開２０１２−２５１４２３号公報
【発明の概要】
【発明が解決しようとする課題】
【０００４】
特許文献１〜３のような住宅では、屋内（居室）空間内での開放感は得られても、屋内空間と半屋外空間との一体感までは得られない。
【０００５】
本発明は、上記のような課題を解決するためになされたものであって、その目的は、屋内空間と半屋外空間との一体感を得ることのできる住宅構造を提供することである。
【課題を解決するための手段】
【０００６】
この発明のある局面に従う住宅構造は、仕切り面を介して屋内空間と半屋外空間とが隣接して設けられる住宅の構造であって、屋内空間は、床部、天井部、および、対向する１対の壁部によって囲まれている。屋内空間における床部は、仕切り面を越えて、半屋外空間に向かって段差なく延びることで、半屋外空間の床部を形成する。屋内空間における天井部は、仕切り面を越えて、半屋外空間に向かって段差なく延びることで、半屋外空間の天井部を形成する。屋内空間における１対の壁部のうちの少なくとも一方は、仕切り面を越えて、半屋外空間に向かって段差なく延びることで、半屋外空間の壁部を形成する。
【０００７】
好ましくは、仕切り面は、透光面により形成される。
【０００８】
好ましくは、住宅は、勾配屋根を有し、屋内空間および半屋外空間の天井部は、勾配屋根の勾配に沿って形成される。
【０００９】
好ましくは、略面一形状である屋内空間の壁部および半屋外空間の壁部それぞれに沿って、その一端が仕切り面と当接するように配置される、略同一高さの突出部材をさらに備える。
【発明の効果】
【００１０】
本発明によれば、屋内空間と半屋外空間との一体感を得ることができる。
【図面の簡単な説明】
【００１１】
【図１】本発明の実施の形態１に係る住宅の構造例を模式的に示す図である。
【図２】本発明の実施の形態１に係る住宅の他の構造例を模式的に示す図である。
【図３】本発明の実施の形態２に係る住宅の構造例を模式的に示す図である。
【発明を実施するための形態】
【００１２】
本発明の実施の形態について図面を参照しながら詳細に説明する。なお、図中同一または相当部分には同一符号を付してその説明は繰返さない。
【００１３】
＜実施の形態１＞
図１は、本発明の実施の形態１に係る住宅１の構造例を模式的に示す図である。図１を参照して、本実施の形態に係る住宅１において、屋内空間３と半屋外空間６とが、仕切り面５を介して隣接して設けられる。屋内空間３は、床部３１、天井部３２、壁部３３によって少なくとも三方が囲まれている。同様に、半屋外空間６は、床部６１、天井部６２、壁部６３によって少なくとも三方が囲まれている。半屋外空間６は、たとえば１階部分の軒下に位置するテラス空間である。したがって、半屋外空間６の屋外側は、住宅１の庭であることとする。
【００１４】
仕切り面５は、少なくとも一部に透光面５１を有している。本実施の形態では、仕切り面５全体が透光面５１によって形成されている。透光面５１とは、典型的には透明または半透明の窓を意味し、より具体的には、左右方向にスライド可能な複数の窓で形成されている。仕切り面５の幅は、たとえば６ｍである。また、仕切り面５の高さは、２ｍ以上であることが望ましい。仕切り面５の位置に、天井部３２，６２から床部３１，６１にまで延びる柱部５２が配置されていてもよい。その場合、透光面５１は、柱部５２によって左右に分割される。
【００１５】
図１に示されるように、本実施の形態では、屋内空間３における床部３１は、仕切り面５を越えて、半屋外空間６に向かって段差なく延びることで、半屋外空間６の床部６１を形成している。屋内空間３における天井部３２は、仕切り面５を越えて、半屋外空間６に向かって段差なく延びることで、半屋外空間の天井部６２を形成している。屋内空間３における壁部３３も、仕切り面５を越えて、半屋外空間６に向かって段差なく延びることで、半屋外空間６の壁部６３を形成している。より具体的には、隣接する床部３１，６１の床面、および、隣接する天井部３２，６２の天井面だけでなく、隣接する壁部３３，６３の壁面も、それぞれ、略面一形状とされている。したがって、本実施の形態において、半屋外空間６は、屋内空間３の延長空間として機能する。その結果、屋内空間３と半屋外空間６との一体感がもたらされる。なお、床部３１，６１の床面、天井部３２，６２の天井面、および、壁部３３，６３の壁面は、それぞれ、素材および色の少なくとも一方が統一されていることが望ましい。
【００１６】
また、本実施の形態では、半屋外空間６における床部６１の屋外側の端縁の位置と、天井部６２の屋外側の端縁の位置とは、ほぼ一致している。つまり、床部６１の軒の出方向における長さと、天井部６２の軒の出方向における長さとはほぼ等しい。これに対し、壁部６３の軒の出方向における長さは、床部６１等の長さよりも短い。そのため、壁部６３の軒先側の端部と、それに対向する壁柱６６との間に開口６７が設けられている。壁柱６６は、半屋外空間６と屋外との境に設けられている。このようにすることで、屋内空間３および半屋外空間６の一体感だけでなく、開放感ももたらすことができる。なお、屋内空間３および半屋外空間６が２階以上に位置する場合には、開口６７は上方のみに設けられていてもよい。また、天井部６２の方が、床部６１よりも屋外側に出っ張っていてもよい。
【００１７】
上述のように、本実施の形態によれば、屋内空間３と半屋外空間６とを含めた空間が、立体的なつながりを持った大空間として演出される。そのため、仕切り面５が、図示したような位置よりも屋外側あるいは屋内側に位置していたとしても（つまり、仕切り面５の位置に関わらず）、両空間３，６を、外とつながる１つの心地よい空間として機能させることができる。また、屋内空間３と半屋外空間６とが透光面５１によって仕切られることで、屋外（庭）の風景が、半屋外空間６を介して屋内空間３としての部屋いっぱいに取り込まれる。その結果、屋内空間３が、庭へと拡がっていくような感覚がもたらされる。したがって、屋内空間３および半屋外空間６の両方を、自然の様相を身近に感じられ、かつ、外へと続く拡がりのある居場所とすることができる。なお、壁部３３および壁部６３それぞれと対向する２つの壁部の壁面（図１において不図示）も、略面一形状とされてよい。
【００１８】
なお、屋内空間３および半屋外空間６の立体的なつながりをより強調させるために、壁部３３，６３に沿って、素材および色の少なくとも一方を統一した長さのある突出部材が設けられてもよい。突出部材は、壁部３３，６３に対して直交する方向に突出する。図２は、本発明の実施の形態１に係る住宅１の他の構造例を模式的に示す図である。
【００１９】
図２を参照して、屋内空間３の壁部３３および半屋外空間６の壁部６３それぞれに沿って、たとえばベンチ４１，４２が設けられている。これらのベンチ４１，４２の高さは略同一である。また、これらは共に、一方端が仕切り面５に当接するように延びている。これにより、ベンチ４１の上面４１ａが、仕切り面５を超えて半屋外空間６に向かって段差なく延びることで、ベンチ４２の上面４２ａが形成される。したがって、２つの空間３，６の一体感がより一層強くもたらされる。なお、ベンチ４１，４２の突出長さも、略同一であることが望ましい。
【００２０】
図２において、半屋外空間６のベンチ４２の他端は、壁柱６６と接するように配置されている。つまり、開口６７の位置にも、ベンチ４２が配置されている。したがって、半屋外空間６において、壁部６３と壁柱６６との間に開口６７が設けられた場合であっても、屋内空間３および半屋外空間６の立体的なつながりを強調させることができる。
【００２１】
なお、屋内空間３側のベンチ４１の下方は収納空間とされていてもよい。その場合、ベンチ４１は、収納棚として機能する。また、図２では、屋内空間３および半屋外空間６それぞれに、突出部材としてベンチ４１，４２を設けることとしたが、ベンチ以外の部材が設けられてもよい。
【００２２】
＜実施の形態２＞
図３は、本発明の実施の形態２に係る住宅１Ａの構造例を模式的に示す図である。図３を参照して、本実施の形態に係る住宅１Ａは、切妻屋根を有しており、切妻屋根の下方に屋内空間３Ａと半屋外空間６Ａとを備えている。なお、本実施の形態では、切妻屋根を例に挙げるが、勾配を有する勾配屋根であれば妻切屋根に限定されない。たとえば、片流れ屋根、マンサード屋根などであってもよい。
【００２３】
半屋外空間６Ａは、切妻屋根の妻側に位置する。妻側とは、屋根の勾配が表れる側である。半屋外空間６Ａは、たとえば、妻側の外壁よりも奥まった位置に形成されたインナーバルコニー空間、または、テラス空間である。
【００２４】
本実施の形態では、各空間３Ａ，６Ａの天井部３２，６２は、切妻屋根の勾配に沿って設けられている。したがって、屋内空間３Ａの床部３１から天井部３２のうち切妻屋根の頂部に対応する部分までの高さは、一般的な住宅の屋内空間の高さよりもはるかに高いものとなる。頂部とは、切妻屋根の棟木２１が配置される部分に相当する。
【００２５】
本実施の形態では、透光面５１は、上端縁が切妻屋根の裏面である天井面３２ａ，６２ａにまで延び、かつ、下端縁が床部３１，６１まで延びている。なお、上端縁、下端縁のいずれも、完全な端縁を意味するものではなく、端縁付近も含むものとする。また、仕切り面５の位置には、柱部５２および梁５３が配置されている。柱部５２は、切妻屋根の頂部から床部３１，６１まで延びている。梁５３は、柱部５２と直交して左右方向に延びている。透光面５１は、柱部２によって左右方向に分割されているとともに、梁５３によって上下方向にも分割されている。
【００２６】
上記のような構造とされることで、切妻屋根の勾配を生かした縦に延びる屋内空間３Ａを、半屋外空間６Ａを介して空とつながる光溢れる居住空間（寛ぎ空間）とすることができる。また、屋内空間３Ａの天井面３２ａには、切妻屋根の下地材である棟木２１および複数の登り梁２２が露出されている。このように切妻屋根の下地材が露出されるため、屋内空間３Ａにおいて、木造の構造体（木組）を楽しむことができるため、癒し効果が生じる。
【００２７】
また、本実施の形態では、屋内空間３Ａにおける１対の壁３３，３４と、半屋外空間６Ａの壁６３，６４との両方が連続するように設けられている。つまり、屋内空間３Ａの１対の壁３３，３４の両方が、仕切り面５の透光面５１を超えて、半屋外空間６Ａにまで段差なく延びることで、半屋外空間６Ａの１対の壁６３，６４を形成している。これにより、屋内空間３Ａと半屋外空間６Ａとを含めた空間を、より立体的なつながりを持った１つの空間として演出することができる。
【００２８】
上述のように、本実施の形態では、勾配屋根の小屋裏空間が、その下階における居住空間の一部として利用される。そのためには、住宅１Ａの屋内空間３Ａの天井部３２自体が断熱材を有していることが望ましい。勾配屋根を有する一般的な住宅では、水平に配置された天井部（小屋組の小屋梁の部分）に断熱材が設けられている。なお、「勾配屋根の下階」とは、２階建ての住宅の場合は２階、１階建ての住宅の場合は１階を表わす。
【００２９】
住宅１の断熱工法としては、具体的にはたとえば「外張り基礎断熱工法」が採用されているものとする。「外張り基礎断熱工法」では、切妻屋根の天井部３２が遮熱フィルム付の断熱材で覆われるとともに、基礎（図示せず）および外壁（図示せず）の断熱材の外側が遮熱透湿防水シートで覆われる。これにより、住宅１Ａ内に侵入する輻射熱が遮られて住宅１Ａの遮熱効果が高められる。このような断熱工法が採用されることで、切妻屋根の下階の天井を、切妻屋根の勾配に沿った天井部３２としても、一年中快適に過ごすことができる。
【００３０】
なお、本実施の形態においても、壁部３３，６３の組、および、壁部３４，６４の組の少なくとも一方に、図２に示したベンチ４１，４２などの突出部材が設けられてもよい。
【００３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３２】
１，１Ａ  住宅、３，３Ａ  屋内空間、５  仕切り面、６，６Ａ  半屋外空間、２１  棟木、２２  登り梁、３１，６１  床部、３２，６２  天井部、３３，３４，６３，６４  壁部、４１，４２  ベンチ、５１  透光面、５２  柱部、５３  梁。
【図１】
2014190031.tif 000003
【図２】
2014190031.tif 000004
【図３】
2014190031.tif 000005